(57)【要約】【課題】機種が変わっても同一の内枠でもって対応できるようにし、在庫及び金型の経費などを少なくしてコストダウン化を図るとともに、報知器用配線を容易に行い得る遊技機を提供する。【解決手段】遊技機は、図柄表示窓を有する前面パネルの裏面側に前面パネルの図柄表示窓の周辺を通して報知を行う各種の報知器を装着するための内枠２０が設けられてなる。内枠を、一定間隔を保つ枠領域を有する枠状に形成された枠材２１と、この枠材の枠領域を区画するために枠内に架設された少なくとも１つの骨材２２と、枠材及び骨材によって形成された区画内に架設され上記報知器を支持する支持部材２３，２４，２５とにより構成する。枠材及び骨材を、いずれも断面略コ字状に形成し、この枠材及び骨材の中に報知器用配線を収納可能とする。【選択図】      図３
2004254839.tif 000002
【特許請求の範囲】
【請求項１】
筐体の前面部に、筐体内に配置した図柄変動表示装置を視認するための図柄表示窓を有する前面パネルが取り付けられ、この前面パネルの裏面側に前面パネルの図柄表示窓の周辺を通して報知を行う各種の報知器を装着するための内枠が設けられた遊技機において、
上記内枠は、一定間隔を保つ枠領域を有する枠状に形成された枠材と、この枠材の枠領域を区画するために枠内に架設された少なくとも１つの骨材と、上記枠材及び骨材によって形成された区画内に架設され上記報知器を支持する支持部材とを備えてなり、上記枠材及び骨材は、いずれも断面略コ字状に形成されており、この枠材及び骨材の中に報知器用配線を収納可能にしたことを特徴とする遊技機。
【請求項２】
上記骨材の両端にはそれぞれ左右の側壁部から外向きに突出する一対の係合部が形成されているとともに、枠材の内側の側壁部には骨材の接続箇所に開口部が設けられ、この開口部に骨材の一対の係合部を係合させて骨材の一端が枠材の内側の側壁部に接続されている請求項１記載の遊技機。
【請求項３】
上記支持部材は、箱状に形成されており、この支持部材の一対の端部にはそれぞれ、枠材の内側の側壁部又は骨材の側壁部に形成した開口部に係合する突起部が形成されているとともに、この突起部を挟んで両側にスリットが設けられている請求項１又は２記載の遊技機。
【請求項４】
上記骨材及び支持部材は、枠材に対し前面側から所定寸法低くなった状態で取り付けられており、上記前面パネルは、この骨材及び支持部材により支持されて枠材の内側に枠材の前面と略面一に嵌め込められ、筐体の前面部と内枠との間に挟持されて取り付けられている請求項１〜３のいずれか一つに記載の遊技機。
【発明の詳細な説明】
【０００１】
【発明の属する技術分野】
本発明は、スロットマシンなどの遊技機に関し、特に、図柄表示窓を有する前面パネルの裏面側に設けられ前面パネルの図柄表示窓の周辺を通して視覚的又は聴覚的な報知を行う各種の報知器を装着するための内枠の構造に係わる。
【０００２】
【従来の技術】
一般に、スロットマシンにおいては、例えば特許文献１に開示され、また図１２にも示すように、筐体の前面部を構成する前扉１の中央部に前面パネルの一つである中央パネル２が設けられ、この中央パネル２の中央部に、筐体内に配置したリール装置の３つの回転リール３，３，３を視認するためのリール表示窓４が形成されているとともに、中央パネル２のリール表示窓４の左側に５つの有効化表示ランプ５ａ，５ｂ，５ｃ，５ｄ，５ｅの点灯表示が、リール表示窓４の右側にスタート待ちランプ６やリプレイランプ７などの点灯表示が、リール表示窓４の下側に役物当選回数表示器８やヒット枚数表示器９などの表示がそれぞれ中央パネル２を通して見えるようになっている。尚、図１２中、１１はリール装置の３つの回転リール３、３、３を回転させるスタートスイッチ、１２はリール装置の対応する回転リール３の回転を停止させる停止スイッチ、１３はメダル投入口、１４はメダル受け皿である。
【０００３】
そして、上記中央パネル２の裏面側には、通常、図１３に示すような合成樹脂製の内枠１６が設けられ、この内枠１６に有効化表示ランプ５ａ〜５ｅや役物当選回数表示器８などの各種の表示器、又は表示器に限らずスピーカを含む報知器及び報知器用制御基板が装着されている。
【０００４】
【特許文献１】
特開２００２−２９１９７０号公報（第３−４頁、図１−図３）
【０００５】
【発明が解決しようとする課題】
ところが、上記従来の内枠１６は、中央パネル２のリール表示窓４に対応した窓開口部１７の大きさや位置が定まっているだけでなく、各種の報知器を装着するための装着開口部１８ａ，１８ｂ，１８ｃ，１８ｄ，１８ｅ，１８ｆ，１８ｇ，１８ｈ，１８ｉ、１８ｊ，１８ｋ，１８ｌ，１８ｍ，１８ｎの位置や個数なども定まっているため、機種が変わる毎に内枠１６をも変更する必要がある。このため、在庫が多くなり、金型の経費なども嵩みコストアップになるという問題があった。
【０００６】
また、内枠１６の周辺には各種の報知器及び報知器用制御基板に接続したケーブル又はハーネスが数多く配線されているが、これらの配線に際しては他の部品と干渉しないように注意しなければならず、配線作業が面倒であるという問題もある。
【０００７】
本発明はかかる点に鑑みてなされたものであり、その課題とするところは、特に、上記内枠の構造を改良し、機種が変わっても同一の内枠でもって対応できるようにし、在庫及び金型の経費などを少なくしてコストダウン化を図るとともに、報知器用配線を容易に行い得る遊技機を提供せんとするものである。
【０００８】
【課題を解決するための手段】
上記の課題を解決するため、請求項１に係る発明は、筐体の前面部に、筐体内に配置した図柄変動表示装置を視認するための図柄表示窓を有する前面パネルが取り付けられ、この前面パネルの裏面側に前面パネルの図柄表示窓の周辺を通して視覚的又は聴覚的な報知を行う各種の報知器を装着するための内枠が設けられた遊技機において、上記内枠を、一定間隔を保つ枠領域を有する枠状に形成された枠材と、この枠材の枠領域を区画するために枠内に架設された少なくとも１つの骨材と、上記枠材及び骨材によって形成された区画内に架設され上記報知器を支持する支持部材とによって構成する。また、上記枠材及び骨材を、いずれも断面略コ字状に形成し、この枠材及び骨材の中に報知器用配線を収納可能にする構成とする。
【０００９】
この構成では、遊技機の機種が変更され、前面パネルの図柄表示窓の大きさや位置及び各種報知器の位置や個数などが変わる場合、内枠においては、枠材に対する骨材及び支持部材の取付位置を変えるだけで殆ど対応することができ、従来の如く機種の変更に伴って内枠全体を変える必要はない。このため、内枠の在庫数及び金型の経費などを少なくすることができる。また、報知器用配線つまりケーブルやハーネスの配線は、断面略コ字状の枠材及び骨材の中に収納して行われるため、他の部品と干渉する心配がない上、その配線作業を容易に行うことができる。
【００１０】
請求項２に係る発明は、請求項１記載の遊技機において、上記骨材の両端にそれぞれ左右の側壁部から外向きに突出する一対の係合部を形成するとともに、枠材の内側の側壁部における骨材の接続箇所に開口部を設け、この開口部に骨材の一対の係合部を係合させて骨材の一端を枠材の内側の側壁部に接続する構成とする。この構成では、枠材の内側の側壁部に設けられる開口部の位置を変更するだけで骨材の接続箇所ないし取付位置を容易に変更することができる上、この開口部に係合する骨材の一対の係合部により骨材の接続を強固に行うことができる。
【００１１】
請求項３に係る発明は、請求項１又は２記載の遊技機において、上記支持部材を箱状に形成し、この支持部材の一対の端部にそれぞれ、枠材の内側の側壁部又は骨材の側壁部に形成した開口部に係合する突起部を形成するとともに、この突起部を挟んで両側にスリットを設ける構成とする。この構成では、支持部材の端部における突起部の両側にスリットが設けられているため、この突起部付近を押えると突起部付近が簡単に撓むことになる。このため、突起部を枠材の内側の側壁部又は骨材の側壁部に形成した開口部に容易に係合させることができ、枠材の内側の側壁部又は骨材の側壁部に対する支持枠材の接続を容易に行うことができる。
【００１２】
請求項４に係る発明は、請求項１〜３のいずれか一つに記載の遊技機において、上記骨材及び支持部材を、枠材に対し前面側から所定寸法低くなった状態で取り付け、上記前面パネルを、この骨材及び支持部材により支持させて枠材の内側に枠材の前面と略面一に嵌め込み、筐体の前面部と内枠との間に挟持して取り付ける構成とする。この構成では、前面パネルは、内枠の枠材の内側に骨材及び支持部材により支持された状態で枠材の前面と略面一に嵌め込まれ、筐体の前面部に対する内枠の取付によりこの両者間に挟持されて取り付けられるため、従来の如く前面パネルの取付と内枠の取付とを別々に行う場合に比べて作業を容易に行うことができる。
【００１３】
【発明の実施の形態】
以下、本発明の実施の形態を図面に基づいて説明する。
図１及び図２は本発明の一実施形態に係る遊技機としてのスロットマシンの中央パネル付近の構造を示す。スロットマシンは、従来の技術の項で図１２を用いて説明したように、筐体の前面部を構成する前扉１の中央部に、筐体内に配置した図柄変動表示装置としてのリール装置の３つの回転リール３，３，３を視認するためのリール表示窓４を有する中央パネル２が取り付けられ、この中央パネル２の裏面側に中央パネル２のリール表示窓４の周辺を通して視覚的な報知（つまり表示）を行う各種の報知器としての表示器５ａ〜５ｅ，６〜９を装着するための内枠２０が設けられてなる。
【００１４】
上記内枠２０は、図３及び図４に拡大詳示するように、中央パネル２の形状及び大きさに対応して形成された矩形状の枠材２１と、この枠材２１の互いに対向する上辺２１ａと下辺２１ｂとの間で中央パネル２のリール表示窓４の左右側辺にそれぞれ近接して架設された左右２つの骨材２２，２２と、枠材２１の上辺２１ａと下辺２１ｂとの間でそれぞれ枠材２１の左側辺２１ｃ又は右側辺２１ｄと骨材２２とにより挟まれた箇所に架設された左右２つの第１の支持部材２３，２３と、左右の骨材２２，２２間で枠材２１の上辺２１ａ及び下辺２１ｂにそれぞれ隣接して架設された上下２つの第２の支持部材２４，２４と、左右の骨材２２，２２間で中央パネル２のリール表示窓４の上辺に近接して架設された第３の支持部材２５とを備えている。
【００１５】
上記枠材２１の四辺２１ａ〜２１ｄは、図５にも示すよう、いずれも断面が中央パネル２と反対側の後方に開口する略コ字状に形成され、この枠材２１の上辺２１ａ及び下辺２１ｂにはそれぞれ外側の側壁部より外向きに延出する左右２つの取付部２１ｅ，２１ｅが形成されている。
【００１６】
上記各骨材２２は、図６にも示すように、枠材２１の四辺２１ａ〜２１ｄと同じく断面が中央パネル２の反対側の後方に開口する略コ字状に形成され、この骨材２２の両端には、それぞれ左右の側壁部から一旦内側に折れ曲がってから外向き突出する左右一対の断面コ字状の係合部２２ａ，２２ａが形成されている。
【００１７】
また、上記枠材２１の上辺２１ａ及び下辺２１ｂの内側の側壁部には、骨材２２の接続箇所にそれぞれ矩形状の開口部２６が設けられている。そして、図７及び図８にも示すように、この開口部２６の左右二辺に上記骨材２２の一対の係合部２２ａ，２２ａをそれぞれ係合させることにより、骨材２２の一端が枠材２１の上辺２１ａ又は下辺２１ｂの内側の側壁部に接続されている。
【００１８】
上記第１の支持部材２３は、図９及び図１０に詳示するように、一方向に長い矩形の箱状に形成されており、この第１の支持部材２３の一対の端部である短辺２３ａ，２３ａにはそれぞれ、枠材２１の上辺２１ａ又は下辺２１ｂの内側の側壁部に形成した横長スリット状の開口部２７に係合する突起部２８が形成されているとともに、この突起部２８を挟んで両側にスリット２９，２９が形成されていて、突起部２８を枠材２１の開口部２７に係合させる際に突起部２８付近が撓み易くなっている。また、第１の支持部材２３の各短辺２３ａには内側に突出する取付座部３０が形成されているとともに、この取付座部３０上に左右２つの固定凸部３１，３１が形成されている。そして、取付座部３０上にランプ装着プレート３２の端部を当接しかつ固定凸部３１を用いて固定することにより、ランプ装着プレート３２が第１の支持部材２３の内側に支持されており、このランプ装着プレート３２は５つのランプを縦一列に装着するようになっている。
【００１９】
上記第２の支持部材２４は、基本的には第１の支持部材２３と同じ構成であって、その長辺及び短辺の長さが第１の支持部材２３のそれと異なるだけである。そして、この第２の支持部材２４の内側にデジタル表示器３３ａ，３３ｂ，３３ｃを実装した制御基板３４又は表示器を実装していない制御基板３５が支持されている。
【００２０】
さらに、上記第３の支持部材２５は、図で詳示していないが、長手方向の両端にそれぞれ突起部を有し、この突起部を骨材２２の側壁部に形成した横長スリット状の開口部に係合させて骨材２２に接続されている。この第３の支持部材２５には、中央パネル２のリール表示窓４を通して見えるリール装置の回転リール３，３，３を照明する蛍光灯などからなる照明具３６が支持されている。
【００２１】
そして、図１１に示すように、上記第１〜第３の支持部材２５に支持された各種の表示器（ランプを含む）、制御基板３４，３５及び照明具３６と接続するためのケーブル又はハーネス（以下、ケーブル類という）３７は、上記枠材２１の各辺２１ａ〜２１ｄ及び骨材２２の中を通して配線されている。また、図２、図４及び図８に示すように、上記骨材２２及び第１〜第３の支持部材２３〜２５は、いずれも枠材２１に対し前面側から所定寸法低くなった状態で取り付けられており、上記中央パネル２は、この骨材２２及び第１〜第３の支持部材２３〜２５により支持されて枠材２１の内側に枠材２１の前面と略面一に嵌め込められ、前扉１のパネル枠部１ａと内枠２０との間に挟持されて取り付けられている。尚、内枠２０は、枠材２１の各取付部２１ｅを前扉１側のボス部１ｂにビス止めすることにより前扉１に取り付けられている。
【００２２】
従って、上記実施形態の内枠２０においては、スロットマシンの機種が変更され、中央パネル２のリール表示窓４の大きさや位置及び各種表示器５ａ〜５ｅ、６〜９の位置や個数などが変わる場合でも、内枠２０の上辺２１ａと下辺２１ｂとの間に架設される骨材２２及び第１の支持部材２３の取付位置を変えるだけで殆ど対応することができ、従来の如く機種の変更に伴って内枠２０全体を変える必要はなく、僅かに左右の骨材２２，２２間に架設される第２及び第３の支持部材２４，２５を変えるだけで足りる。このため、内枠２０全体の在庫数及び金型の経費などを少なくすることができ、コストダウン化を図ることができる。
【００２３】
また、上記第１〜第３の支持部材２３〜２５に支持された表示器用などのケーブル類３７は、断面略コ字状の枠材２１の各辺２１ａ〜２１ｄ及び骨材２２の中に配線されるため、他の部品と干渉する心配がない上、その配線作業を容易に行うことができる。
【００２４】
その上、上記骨材２２は、その両端にそれぞれ左右の側壁部から外向きに突出する一対の係合部２２ａ，２２ａを有し、この一対の係合部２２ａ，２２ａを枠材２１の内側の側壁部に設けた開口部２６に係合させて枠材２１の内側の側壁部に接続されているため、機種の変更の場合には枠材２１の内側の側壁部に設けられる開口部２６の位置を変更するだけで骨材２２の取付位置を容易に変更することができるとともに、開口部２６に係合する骨材２２の一対の係合部２２ａ，２２ａにより骨材２２の接続を強固に行うことができる。尚、この場合、枠材２１の内側の側壁部に予め切り欠きを形成しておき、この切り欠きを適宜切除して開口部２６を形成することによって骨材２２の取付位置を任意に設定できるようにすることが望ましい。
【００２５】
さらに、上記第１の支持部材２３の短辺２３ａに形成した突起部２８を枠材２１の内側の側壁部に形成した横長スリット状の開口部２７に係合させて第１の支持部材２３を枠材２１の内側の側壁部に接続する時には、短辺２３ａの突起部２８を挟んで両側にスリット２９，２９が設けられて撓み易くなっているため、突起部２８と開口部２７との係合ひいては枠材２１の内側の側壁部に対する第１の支持部材２３の接続を容易に行うことができ、内枠２０の組立てを容易に行うことができる。このことは、第２の支持部材２４を骨材２２の側壁部に接続する時も同じであるので、内枠２０の組立てをより容易に行うことができる。
【００２６】
加えて、上記骨材２２及び第１〜第３の支持部材２３〜２５は、いずれも枠材２１に対し前面側から所定寸法低くなった状態で取り付けられており、中央パネル２は、この骨材２２及び第１〜第３の支持部材２３〜２５により支持されて枠材２１の内側に枠材２１の前面と略面一に嵌め込まれ、前扉１のパネル枠部１ａと内枠２０との間に挟持されて取り付けられているため、従来の如く中央パネル２の取付と内枠２０の取付とを別々に行う場合に比べて作業を容易に行うことができ、作業性の向上を一層図ることができる。
【００２７】
尚、本発明は上記実施形態に限定されるものではなく、その他種々の実施形態を包含するものである。例えば上記実施形態では、内枠２０を、矩形状の枠材２１と、この枠材２１の上辺２１ａと下辺２１ｂとの間に架設された左右２つの骨材２２，２２と、枠材２１の上辺２１ａと下辺２１ｂとの間に架設された左右２つの第１の支持部材２３，２３と、左右の骨材２２，２２間に架設された上下２つの第２の支持部材２４，２４と、左右の骨材２２，２２間に架設された第３の支持部材２５とによって構成したが、本発明は、中央パネル２のリール表示窓４の大きさや位置及び中央パネル２のリール表示窓４の周辺を通して報知を行う各種報知器５ａ〜５ｅ，６〜９の位置や個数などに応じて、内枠２０の構成要素である枠材２１以外の骨材及び支持部材の配置箇所及び個数を適宜変更してもよい。例えば、１本の骨材のみを枠材２１の上辺２１ａと下辺２１ｂとの間に架設したり、１本又は２本の骨材を枠材２１の左右側辺２１ｃ、２１ｄ間に架設したり、支持部材を骨材と枠材の骨材と対向する一辺との間に架設したりしてよいのは勿論である。
【００２８】
また、内枠２０の構成部材である枠材２１は、上記実施形態の如く矩形状のものに限らず、上下二辺が一定間隔を保って円弧状又は波形に湾曲したものでもよく、少なくも一部に一定間隔を保つ枠領域を有する枠状に形成されたものであればよい。
【００２９】
さらに、上記実施形態では、中央パネル２のリール表示窓４を通して、筐体内に配置したリール装置の３つの回転リール３，３，３が見える一般的なスロットマシンについて述べたが、本発明は、これに限らず、前面パネルの図柄表示窓を通して、筐体内に配置した図柄表示用ベルトを有する装置や液晶表示装置などの図柄変動表示装置が視認でき、かつこの前面パネルの裏面側に前面パネルの図柄表示窓の周辺を通して視覚的又は聴覚的な報知を行う各種の報知器を装着するための内枠が設けられた遊技機に広く適用することができる。この場合、報知器としては、一般的な表示器に限らず、例えば電動で動くキャラクタ人形などの電動役物の如く視覚的な報知（つまり表示）を行うもの、あるいは電圧素子を有するいわゆるカード型スピーカなどの如く聴覚的な報知を行うものでもよい。
【００３０】
【発明の効果】
以上のように、本発明の遊技機によれば、機種が変更され、前面パネルの図柄表示窓の大きさや位置及び各種表示器の位置や個数などが変わる場合でも、内枠の枠材に対する骨材及び支持部材の取付位置を変えるだけで殆ど対応することができるので、従来の如く内枠全体を変える必要はなく、内枠の在庫数及び金型の経費などを少なくすることができ、コストダウン化を図ることがきる。また、報知器用配線は、断面略コ字状の枠材及び骨材の中に収納可能になっているため、他の部品との干渉を心配することなく、配線作業を容易に行うことができるという効果をも有する。
【００３１】
特に、請求項２に係る発明では、枠材の内側の側壁部に設けた開口部に骨材の一端に形成した一対の係合部を係合させて骨材の一端を枠材に接続することにより、骨材の取付位置を容易に変更することができるとともに、骨材の接続強度を高めることができるという効果を併有する。
【００３２】
また、請求項３に係る発明では、支持部材の一対の端部に形成した突起部を枠材の内側の側壁部又は骨材の側壁部に形成した開口部に容易に係合させることができるので、支持枠材の接続ひいては内枠の組立てを容易に行うことができるという効果を併有する。
【００３３】
さらに、請求項４に係る発明では、前面パネルが、内枠の枠材の内側に骨材及び支持部材により支持された状態で枠材の前面と略面一に嵌め込まれ、筐体の前面部に対する内枠の取付によりこの両者間に挟持されて取り付けられるため、従来の如く前面パネルの取付と内枠の取付とを別々に行う場合に比べて組立作業を容易に行うことができ、作業性の向上をより図ることができる。
【図面の簡単な説明】
【図１】スロットマシンにおける内枠の取付状態を示す配置図である。
【図２】上記内枠の取付状態を示す縦断面図である。
【図３】上記内枠の正面図である。
【図４】図３のＸ−Ｘ線における拡大断面図である。
【図５】内枠の枠材の正面図である。
【図６】内枠の骨材の正面図である。
【図７】上記枠材に骨材を取り付けた状態を示す正面図である。
【図８】図７のＹ−Ｙ線における断面図である。
【図９】内枠の第１の支持部材を示し，（ａ）は正面図、（ｂ）は左側面図、（ｃ）は平面図，（ｄ）は（ａ）のＺ−Ｚ線における断面図である。
【図１０】内枠の第１の支持部材の斜視図である。
【図１１】内枠におけるケーブル類の配線状態を示す正面図である。
【図１２】スロットマシンの外観を示す正面図である。
【図１３】従来の内枠の正面図である。
【符号の説明】
１    前扉（筐体の前面部）
２    中央パネル（前面パネル）
３    回転リール（図柄変動表示装置）
４    リール表示窓（図柄表示窓）
５ａ〜５ｅ    有効化表示ランプ（報知器）
６    スタート待ちランプ（報知器）
７    リプレイランプ（報知器）
８    役物当選回数表示器（報知器）
９    ヒット枚数表示器（報知器）
２０    内枠
２１    枠材
２２    骨材
２２ａ  係合部
２３    第１の支持部材
２４    第２の支持部材
２５    第３の支持部材
２６，２７    開口部
２８    突起部
２９    スリット
３７    ケーブル類（報知器用配線）
【図１】
2004254839.tif 000003
【図２】
2004254839.tif 000004
【図３】
2004254839.tif 000005
【図４】
2004254839.tif 000006
【図５】
2004254839.tif 000007
【図６】
2004254839.tif 000008
【図７】
2004254839.tif 000009
【図８】
2004254839.tif 000010
【図９】
2004254839.tif 000011
【図１０】
2004254839.tif 000012
【図１１】
2004254839.tif 000013
【図１２】
2004254839.tif 000014
【図１３】
2004254839.tif 000015